(57)【要約】【課題】不正行為等を防止し得る機能を備えた回胴式遊技機、及び回胴式遊技機に設けられる外部集中端子基板を提供する。【解決手段】回胴式遊技機の動作を統括管理する主制御基板７００に、サブ制御基板３００、回胴装置基板６００、中央表示基板４００、電源装置基板５００を介して入力される各種信号のうち不正行為の発生を検出するのに好適な信号を、主制御基板７００より出力し、外部集中端子基板８００を介して管理用コンピュータへ送出する。【選択図】        図３
2004350924.tif 000002
【特許請求の範囲】
【請求項１】
管理用コンピュータに接続される回胴式遊技機であって、
回胴式遊技機の動作を統括管理する主制御基板と、
前記管理用コンピュータに接続されると共に、前記主制御基板より出力される不正防止信号を前記管理用コンピュータへ送出する外部集中端子基板と、を備えることを特徴とする回胴式遊技機。
【請求項２】
前記不正防止信号は、前記主制御基板が回胴式遊技機に設けられている回胴リールを回転駆動する電動モータを制御するモータ駆動指示信号であることを特徴とする請求項１に記載の回胴式遊技機。
【請求項３】
前記不正防止信号は、回胴式遊技機に設けられている回胴リールを回転駆動する電動モータが回転動作中であることを示すモータ駆動信号であることを特徴とする請求項１に記載の回胴式遊技機。
【請求項４】
前記不正防止信号は、回胴式遊技機にて遊技を行う際に投入される遊技メダルを検知する検知センサから出力される投入物検出信号であることを特徴とする請求項１に記載の回胴式遊技機。
【請求項５】
前記不正防止信号は、回胴式遊技機に設けられている精算ボタンがオン操作された際に出力される精算信号であることを特徴とする請求項１に記載の回胴式遊技機。
【請求項６】
前記不正防止信号は、回胴式遊技機に設けられている施錠機構が開錠操作された際に出力される開錠信号であることを特徴とする請求項１に記載の回胴式遊技機。
【請求項７】
前記不正防止信号は、回胴式遊技機の異常状態を解除操作される際に生じるエラー解除信号であることを特徴とする請求項１に記載の回胴式遊技機。
【請求項８】
前記不正防止信号は、出玉率の設定を変更する設定ボタンが操作された際に出力される設定信号であることを特徴とする請求項１に記載の回胴式遊技機。
【請求項９】
前記不正防止信号は、出玉率の設定変更の開始と終了の操作を行うために設けられている設定スイッチから出力される設定操作信号であることを特徴とする請求項１に記載の回胴式遊技機。
【請求項１０】
前記不正防止信号は、回胴式遊技機の動作に必要なシステム電源の供給と遮断を行うシステム電源スイッチより出力されるシステム電源操作信号であることを特徴とする請求項１に記載の回胴式遊技機。
【請求項１１】
前記不正防止信号は、回胴式遊技機をパワーオンリセットするために設けられている主電源スイッチより出力される主電源操作信号であることを特徴とする請求項１に記載の回胴式遊技機。
【請求項１２】
前記不正防止信号は、回胴式遊技機に設けられている制御システムをリセットするために設けられているシステムリセットスイッチより出力されるシステムリセット信号であることを特徴とする請求項１に記載の回胴式遊技機。
【請求項１３】
前記不正防止信号は、回胴式遊技機に設けられているホッパ装置より払い出される遊技メダルを検出する検出センサより出力されるメダル検出信号であることを特徴とする請求項１に記載の回胴式遊技機。
【請求項１４】
回胴式遊技機の外部に配置された管理用コンピュータと回胴式遊技機とを接続し、回胴式遊技機内に設けられる外部集中端子基板であって、
前記回胴式遊技機の動作を統括管理する主制御基板から出力される不正防止信号を前記管理用コンピュータへ送出することを特徴とする外部集中端子基板。
【発明の詳細な説明】
【０００１】
【発明の属する技術分野】
本発明は、例えばスロットマシン等の回胴式遊技機に関し、特に不正行為等を防止し得る機能を備えた回胴式遊技機及び回胴式遊技機に設けられる外部集中端子基板に関する。
【０００２】
【従来の技術】
図７に模式的に示すように、多数のスロットマシンが設置されている遊技場にあっては、各スロットマシンに内蔵されている『外部集中端子基板』又は『外部集中端子板』若しくは『集中端子板』と呼ばれている所謂インターフェースユニット（以下『外部集中端子基板』という）に、ホールコンピュータと呼ばれる管理用コンピュータを接続し、当該管理用コンピュータが各スロットマシンから提供される所定の情報に基づいて営業上の管理を行っている。
【０００３】
すなわち、各スロットマシンに内蔵されている外部集中端子基板は管理用コンピュータのみを接続するために設けられ、且つ遊技場を運用している事業者等にとって営業上有用な複数のサービス情報のみをスロットマシンから管理用コンピュータへ送出するために設けられているため、事業者等に対し、管理用コンピュータによる営業上の管理を行うことが可能な環境が提供されている。
【０００４】
具体的な事例を述べれば、遊技者がゲーム開始の指示行い、それに対応してスロットマシンがビッグボーナス（ＢＢ）やレギュラーボーナス（ＲＢ）と呼ばれる特別役に当選した場合、上述の営業上有用なサービス情報として、その当選結果を示す信号を外部集中端子基板を介してへ送出している。
【０００５】
そして、サービス情報としての上記当選結果を示す信号を管理用コンピュータが受信して検知することによって、遊技者に対して滞りのないゲーム環境を提供しているか営業上の管理を行い、また、特別役が当選される度に各スロットマシンから送られてくる上記信号を集計し、その集計結果（すなわち、各スロットマシン毎の当選結果の履歴）を遊技場内に設置されている情報端末装置にて表示させることによって、スロットマシンを選択しようとしている遊技者に対し営業上のサービスが行われている。
【０００６】
このように、従来のスロットマシンは、外部集中端子基板を備えることによって管理用コンピュータのみの接続を可能とし、営業上有用なサービス情報のみを外部集中端子基板を介して管理用コンピュータへ送出することによって、遊技者に対する適正なゲーム環境を担保しつつ事業者等への情報提供のサービスを行っている。
【０００７】
【発明が解決しようとする課題】
ところで、近年、スロットマシンに対し不正な行為を働く不正行為者が問題となっており、あくまでも一事例に過ぎないが、スロットマシンの筐体を開けて内部システムを不正に操作することによって実際には遊技メダルを投入していないにも拘わらず遊技を行ったり、筐体内に針金等の持具を挿入して内部システムを不正に操作することにより、大量の遊技メダルの払い出しを受けられるように改変する等の不正行為者の存在が大きな問題となっている。
【０００８】
こうした不正行為及び不正行為者を発見すべく、遊技場側の事業者等が遊技場内を巡回することによって不正防止対策を講じているものの、巡回者の目を盗んで巧妙に不正行為が行われているため、必ずしも十分な効果が得られていない。
【０００９】
また、上述したように、スロットマシンを管理用コンピュータに接続し、管理用コンピュータがスロットマシンから提供されるサービス情報に基づいて管理を行っているが、あくまでもスロットマシンからは営業上有用なサービス情報のみを管理用コンピュータに提供しているに過ぎないことから、管理用コンピュータを利用した不正防止対策を講じるまでには至っていない。
【００１０】
本発明は、こうした従来の問題に鑑みてなされたものであり、より実効ある不正防止対策を講じることが可能な情報提供のサービスを行う回胴式遊技機、及び回胴式遊技機に設けられる外部集中端子基板を提供することを目的とする。
【００１１】
【課題を解決するための手段】
請求項１記載の発明は、管理用コンピュータに接続される回胴式遊技機であって、回胴式遊技機の動作を統括管理する主制御基板と、前記管理用コンピュータに接続されると共に、前記主制御基板より出力される不正防止信号を前記管理用コンピュータへ送出する外部集中端子基板とを備えることを特徴とする。
【００１２】
請求項１記載の回胴式遊技機によれば、主制御基板から管理用コンピュータへ外部集中端子基板を介して不正防止信号を供給することにより、管理用コンピュータに不正防止信号を検知又は解析させることによって、不正行為の発見をより迅速且つ的確に行わせる。
【００１３】
請求項１４記載の発明は、回胴式遊技機の外部に配置された管理用コンピュータと回胴式遊技機とを接続し、回胴式遊技機内に設けられる外部集中端子基板であって、前記回胴式遊技機の動作を統括管理する主制御基板から出力される不正防止信号を前記管理用コンピュータへ送出することを特徴とする。
【００１４】
請求項１４記載の外部集中端子基板によれば、主制御基板から出力される不正防止信号を管理用コンピュータへ供給し、管理用コンピュータに不正防止信号を検知又は解析させることによって、不正行為の発見をより迅速且つ的確に行わせる。
【００１５】
【発明の実施の形態】
以下、本発明の実施形態として、スロットマシン及びスロットマシンに設けられる外部集中端子基板について図１ないし図６を参照して説明する。
【００１６】
なお、図１は本スロットマシン１００の外部構造を表した平面図、図２は本スロットマシン１００の内部構造を表した平面図、図３は本スロットマシン１００に設けられている制御システムの構成を表したブロック図である。
【００１７】
まず、図１を参照して本スロットマシン１００の外部構造を概説すると、本スロットマシン１００は、遊技者に面するフロントドア１０１と、フロントドア１０１が開閉可能に取り付けられた後述の筐体１０２とを備えて構成されている。
【００１８】
フロントドア１０１は、機械的に強固な硬質プラスチックで成形された上部パネル部１０３と中部パネル部１０４及び下部パネル部１０５とを備えて構成されている。
【００１９】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄが設けられている。
【００２０】
中部パネル部１０４には、透明な硬質プラスチック板で形成された略長方形の透過窓ＷＤと、演出用ランプ１０４ａ，１０４ｂが設けられ、筐体１０２内に設けられている回胴リール装置２００の回胴リールＲ１，Ｒ２，Ｒ３を、遊技者が透過窓ＷＤを介して見ることが可能となっている。
【００２１】
更に中部パネル部１０４の下端には、遊技者が操作するための操作部１０４ｃが設けられ、当該操作部１０４ｃには、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３と、遊技者が獲得した遊技メダルの払い出しを指示するための精算ボタンＭＲが設けられている。
【００２２】
更に、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると、後述の施錠機構ＬＫを解除し、フロントドア１０１を筐体１０２から開くことが可能となっている。
【００２３】
下部パネル部１０５には、本スロットマシン１００のゲーム内容を紹介等するための画像（図示略）が描かれており、更に遊技者の獲得した枚数の遊技メダルを払い出すための排出口１０５ａ及び受皿１０５ｂと、スピーカが取り付けられた放音部１０５ｃが設けられている。
【００２４】
次に、図２を参照して、フロントドア１０１の裏面構造と、筐体１０２の内部構造を概説する。なお、図２はフロントドア１０１を開錠して筐体１０２から開いた状態を表している。
【００２５】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられている。
【００２６】
更に演出表示装置１０３ｄの裏面側には、電気回路基板で形成されたサブ制御基板３００が取り付けられている。
【００２７】
すなわち、サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１０３ｄの裏面側に重なるようにして取り付けられている。
【００２８】
演出表示装置１０３ｄとサブ制御基板３００の下方には、上述の透過窓ＷＤと中部パネル部１０４のパネル面とが形成された略長方形の枠体１０４ｄが取り付けられている。
【００２９】
枠体１０４ｄの下方には、メダル投入部ＭＤより投入される投入物を正規の遊技メダルか異物か判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５ａへ案内するガイド部材Ｇ２と、ホッパ装置ＨＰから出力される払い出し用のメダルを排出口１０５ａへ案内するガイド部材Ｇ３が設けられ、更に排出口１０５ａの近傍に、放音部１０５ｃを構成するスピーカＳＷが取り付けられている。
【００３０】
上述の枠体１０４ｄとセレクト機構Ｇ０との間には、長尺状の電気回路基板で形成された中央表示基板４００が取り付けられており、当該中央表示基板４００の一端に、発光ダイオードで形成されセグメント表示を行う設定表示素子ＣＴと、設定ボタンＣＳとが設けられている。
【００３１】
すなわち、中央表示基板４００もサブ制御基板３００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、更に設定表示素子ＣＴと設定ボタンＣＳとが搭載されて配線接続されている。
【００３２】
更に、セレクト機構Ｇ０の側方に上述の施錠機構ＬＫが設けられ、筐体１０２の一端にロック部材ＬＯが固定されている。そして、フロントドア１０１を筐体１０２側に閉じると、施錠機構ＬＫがロック部材ＬＯに嵌着することによってフロントドア１０１を施錠し、一方、上述したように正規の鍵で開錠操作すると、施錠機構ＬＫがロック部材ＬＯから外れることによってフロントドア１０１を開錠することが可能となっている。
【００３３】
次に、筐体１０２内には、主電源装置ＰＷＵと、ホッパ装置ＨＰから溢れた遊技メダルを収容するための補助貯留部ＳＨＰが設けられる他、上述の透過窓ＷＤに対向する回胴リールＲ１，Ｒ２，Ｒ３とこれら回胴リールＲ１，Ｒ２，Ｒ３を回転駆動する電動モータ（図示略）とを備えた回胴リール装置２００が設けられている。
【００３４】
更に、主電源装置ＰＷＵの側面には電源装置基板５００、回胴リール装置２００の上端には回胴装置基板６００、回胴リール装置２００の上方には主制御基板７００、筐体１０２の内壁の一端には外部集中端子基板としての外部集中端子基板８００が取り付けられている。
【００３５】
すなわち、電源装置基板５００と、回胴装置基板６００、主制御基板７００、外部集中端子基板８００も、上述のサブ制御基板３００及び中央表示基板４００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３６】
ただし、サブ制御基板３００と主制御基板７００は、夫々硬質プラスチックの収納ケース内に個別に収納されたユニット構造となっている。
【００３７】
次に、図３のブロック図を参照して制御システムの構成を説明する。
【００３８】
上述の主制御基板７００は、本スロットマシン１００の動作を統括管理するために設けられ、主制御基板７００を中心としてサブ制御基板３００、中央表示基板４００、電源装置基板５００、回胴装置基板６００、外部集中端子基板８００が夫々所定の配線ケーブル（図示略）を介して配線接続されている。
【００３９】
ここで、主制御基板７００には、半導体メモリ（ＲＯＭ）と、マイクロプロセッサ（ＭＰＵ）が搭載されており、当該マイクロプロセッサが、半導体メモリに予め記憶されているシステムプログラムとスロットマシンゲーム用のプログラムを実行し、各基板３００，４００，５００，６００，８００を制御することによって、本スロットマシン１００の動作状況とゲームの進行を統括管理している。
【００４０】
更に、サブ制御基板３００には、演出用スピーカＳＲ，ＳＬ，ＳＷと演出用ランプ１０３ａ，１０４ａ，１０４ｂと演出表示装置１０３ｄが夫々所定の配線ケーブル（図示略）を介して配線接続されており、サブ制御基板３００に設けられている電気回路が、主制御基板７００からの指示に従ってこれら演出用スピーカＳＲ，ＳＬ，ＳＷと演出用ランプ１０３ａ，１０４ａ，１０４ｂと演出表示装置１０３ｄを駆動することにより、遊技者の視覚や聴覚に訴える演出を行うようになっている。
【００４１】
回胴装置基板６００は、回胴リール装置２００が接続されており、主制御基板７００から供給されるモータ駆動指示信号ＭＴＳの指令に従って電動モータへの駆動電力と駆動タイミングを制御することにより、回胴リールＲ１，Ｒ２，Ｒ３の回転と制動及び停止の制御を行う。
【００４２】
すなわち、主制御基板７００中のマイクロプロセッサ（ＭＰＵ）は、遊技者がベットスイッチＢ１，Ｂ２，Ｂ３の何れかをオン操作して１ゲーム当たりのメダル数を提示した後、スタートレバーＳＴをオン操作すると、役抽選を行って回胴リールＲ１，Ｒ２，Ｒ３を所定速度で回転させ、次に遊技者がストップボタンＳＰ１，ＳＰ２，ＳＰ３を適宜の順番でオン操作すると、そのオン操作された順番に従って回胴リールＲ１，Ｒ２，Ｒ３を順次に制動させて最終的に停止させる。そして、回胴リールＲ１，Ｒ２，Ｒ３に描かれている絵柄が上述の役抽選した役に相当する組み合わせで揃うと入賞、揃わないと外れと判断して１ゲーム当たりの処理を完了する。こうした遊技者の一連のオン操作を主制御基板７００中のマイクロプロセッサ（ＭＰＵ）が検知し、回胴リールＲ１，Ｒ２，Ｒ３の回転開始から最終的な停止までの制御を行うためにモータ駆動指示信号ＭＴＳを回胴装置基板６００に供給する。一方、供給されたモータ駆動指示信号ＭＴＳに従って回胴装置基板６００が電動モータを駆動制御することにより、回胴リールＲ１，Ｒ２，Ｒ３の回転と制動及び停止の制御を行うようになっている。
【００４３】
また、回胴装置基板６００は、モータ駆動指示信号ＭＴＳが供給されると、回胴リールＲ１，Ｒ２，Ｒ３が回転を開始し最終的に停止するまでの期間、別言すれば電動モータに駆動電力を供給している期間を示すモータ駆動信号ＭＴＤを主制御基板７００中のマイクロプロセッサ（ＭＰＵ）へ返送する。
【００４４】
中央表示基板４００には、上述の設定表示素子ＣＴと設定ボタンＣＳが接続され、更にセレクト機構Ｇ０と、ベットボタンＢ１，Ｂ２，Ｂ３、スタートレバーＳＴ、ストップボタンＳＰ１，ＳＰ２，ＳＰ３、精算ボタンＭＲ、施錠機構ＬＫが所定の配線ケーブル（図示略）を介して配線接続されている。
【００４５】
そして、中央表示基板４００は、ベットボタンＢ１，Ｂ２，Ｂ３とスタートレバーＳＴとストップボタンＳＰ１，ＳＰ２，ＳＰ３が夫々オン又はオフ操作されたことを示す操作信号ＳＧを主制御基板７００中のマイクロプロセッサ（ＭＰＵ）に転送し、ゲームの進行を制御させる。
【００４６】
また、精算ボタンＭＲがオン操作されると、中央表示基板４００は、そのオン操作されたことを示す精算信号ＭＲＳを主制御基板７００中のマイクロプロセッサ（ＭＰＵ）に転送する。そして、マイクロプロセッサ（ＭＰＵ）は、精算信号ＭＲＳを入力すると、電源装置基板５００を通じてホッパ装置ＨＰに指令し、遊技者の獲得した枚数の遊技メダルを払い出させる。
【００４７】
また、セレクト機構Ｇ０には、メダル投入部ＭＤから投入された投入物を遊技メダルか異物か検知する光学センサ又は機械センサ若しくは磁気センサが設けられており、これらのセンサから出力される投入物検出信号ＳＬＧを中央表示基板４００が主制御基板７００中のマイクロプロセッサ（ＭＰＵ）へ転送する。
【００４８】
そして、マイクロプロセッサ（ＭＰＵ）が遊技メダルの投入されたことを示す投入物検出信号ＳＬＧを入力すると、メダルの投入枚数を集計する。一方、異物の投入されたことを示す投入物検出信号ＳＬＧを入力すると異常が発生したと判断し、上述のサブ制御基板３００に指令して、演出用スピーカＳＲ，ＳＬ，ＳＷに警報音を発生させたり、演出用ランプ１０３ａ，１０４ａ，１０４ｂにて警報表示を行わせる。
【００４９】
また、施錠機構ＬＫには、鍵穴ＫＹに挿入された鍵の回転操作された方向を検出するマイクロスイッチ等の検出センサが設けられており、鍵が時計回り方向に回転操作されると開錠信号ＯＰＮ、反時計回り方向に回転操作されるとエラー解除信号ＲＳＴを出力する。
【００５０】
そして、中央表示基板４００は、これらの開錠信号ＯＰＮとエラー解除信号ＲＳＴを主制御基板７００中のマイクロプロセッサ（ＭＰＵ）へ転送し、マイクロプロセッサ（ＭＰＵ）が開錠信号ＯＰＮを入力すると、フロントドア１０１の開放操作がなされたと判断する。
【００５１】
また、マイクロプロセッサ（ＭＰＵ）がエラー解除信号ＲＳＴを入力すると、サブ制御基板３００に指令して、上述の異常発生に対する警報音と警報表示等を停止させる。つまり、マイクロプロセッサ（ＭＰＵ）は、上述の異常発生に対して演出用スピーカＳＲ，ＳＬ，ＳＷに警報音を発生させたり演出用ランプ１０３ａ，１０４ａ，１０４ｂにて警報表示を行わせた後、事業者や管理者等が正規の鍵を鍵穴ＫＹに挿入して反時計回り方向に回転操作すると、異常発生に対する処置が完了したと判断し、警報音と警報表示等を解除させて通常のゲーム動作に復帰する。
【００５２】
また、設定ボタンＣＳは、事業者や管理者等が出玉率を設定変更するために設けられており、設定表示素子ＣＴは、１から６までの何れかの数字をセグメント表示することにより、設定ボタンＣＳによって設定変更された出玉率を段階表示する。
【００５３】
すなわち、設定ボタンＣＳがオン操作されると、中央表示基板４００は、そのオン操作される度に設定信号ＣＳＳを主制御基板７００中のマイクロプロセッサ（ＭＰＵ）へ転送し、マイクロプロセッサ（ＭＰＵ）は設定信号ＣＳＳを入力する毎に、予め６段階に決められている出玉率を順繰りに変化させ、更に変化させた出玉率に相当する数字を示す設定表示信号ＣＴＳを中央表示基板４００へ返送する。そして、中央表示基板４００が設定表示信号ＣＴＳに基づいて設定表示素子ＣＴに数字をセグメント表示させることにより、事業者や管理者等に設定変更された出玉率の情報を知らせる。
【００５４】
次に、電源装置基板５００には、図２にも示されているように、主電源スイッチＢＰと、システム電源スイッチＢＱ、設定スイッチＢＯ、システムリセットスイッチＲＯが搭載されている。更に、電源装置基板５００には、電源装置ＰＷＵで発生される各種電源電圧をホッパ装置ＨＰその他の各所に配電する配電回路が形成されており、かかる配電回路からスロットマシン１００の動作に必要なシステム電源が供給されている。
【００５５】
主電源スイッチＢＰは、電源装置ＰＷＵへの商用電源の供給又は遮断をするために設けられ、オン操作されると電源装置ＰＷＵへの商用電源の供給を行い、オフ操作されると電源装置ＰＷＵへの商用電源の供給を遮断する。すなわち、主電源スイッチＢＰは、本スロットマシン１００へのおおもとの電源供給（商用電源の供給）をオン又はオフするために設けられている。また、電源装置基板５００は、主電源スイッチＢＰがオンオフ操作されると、そのオンオフ操作されたことを示す主電源操作信号ＢＰＳを主制御基板７００中のマイクロプロセッサ（ＭＰＵ）へ転送する。
【００５６】
システム電源スイッチＢＱは、電源装置ＰＷＵを動作させたままでスロットマシン１００の動作に必要なシステム電源の供給又は遮断を行うために設けられている。すなわち、おおもとの電源供給をオン又はオフ制御する主電源スイッチＢＰとは異なり、電源装置ＰＷＵから出力されるシステム電源の制御システムへの供給をオン又はオフ制御することにより、制御システムをパワーオンリセットするために設けられている。また、電源装置基板５００は、システム電源スイッチＢＱがオンオフ操作されると、そのオンオフ操作されたことを示すシステム電源操作信号ＢＱＳを主制御基板７００中のマイクロプロセッサ（ＭＰＵ）へ転送し、制御システム全体をパワーオンリセットさせるための処理を行わせる。
【００５７】
設定スイッチＢＯは、上述の鍵穴ＫＹに挿入されるのと同じ鍵を挿入させるための鍵穴が設けられており、当該鍵が挿入されて時計回り方向に操作され又は反時計回り方向に戻されたことを示す設定操作信号ＢＯＳを出力する。そして、電源装置基板５００が設定操作信号ＢＯＳを主制御基板７００中のマイクロプロセッサ（ＭＰＵ）に転送する。
【００５８】
そして、マイクロプロセッサ（ＭＰＵ）は、上述の鍵が時計回り方向に操作されたことを示す設定操作信号ＢＯＳを入力すると、出玉率の設定変更を開始すべき旨の指示がなされたと判断し、反時計回り方向に戻されたことを示す設定操作信号ＢＯＳを入力すると、出玉率の設定変更を終了すべき旨の指示がなされたと判断する。
【００５９】
より詳細に述べると、マイクロプロセッサ（ＭＰＵ）は、上述の鍵が時計回り方向に操作されたことを示す設定操作信号ＢＯＳを入力した後、更にシステム電源スイッチＢＱによってパワーオンリセットの操作がなされると、出玉率の設定変更を開始すべきと判断して、上述の中央表示基板４００に設けられている設定ボタンＣＳからの設定信号ＣＳＳの入力を開始する。そして、上述したように設定ボタンＣＳがオン操作される毎に設定表示素子ＣＴに数字をセグメント表示させ、スタートレバーＳＴがオン操作されると、最後に設定変更された出玉率に確定する。そして、上述の鍵が反時計回り方向に操作されたことを示す設定操作信号ＢＯＳを入力すると、出玉率の設定変更の操作が終了したと判断して、当該確定した出玉率に基づいてゲーム動作を再開する。
【００６０】
また、電源装置基板５００は、上述の精算ボタンＭＲがオン操作されると、主制御基板７００中のマイクロプロセッサ（ＭＰＵ）からの指示に従ってホッパ装置ＨＰを制御することにより、遊技メダルの払い出しを行わせる。そして、ホッパ装置ＨＰのメダル出力部に設けられているメダル検知センサから出力されるメダル検出信号ＭＲＳＳをマイクロプロセッサ（ＭＰＵ）へ返送する。なお、メダル検知センサは、ホッパ装置ＨＰのメダル出力部から出力される遊技メダルを１枚ずつ検知したことを示すメダル検出信号ＭＲＳＳを出力する。
【００６１】
また、システムリセットスイッチＲＯは、スロットマシン１００に何らかのシステムエラーが生じた場合に、スロットマシン１００を元の正常動作に復帰させるために設けられている。すなわち、事業者や管理者がシステムリセットスイッチＲＯをオン操作すると、電源装置基板５００がシステムリセット信号ＲＯＳを主制御基板７００中のマイクロプロセッサ（ＭＰＵ）に供給し、所定のエラーチェックを行わせて元の正常動作に復帰させる。
【００６２】
以上、図３を参照して、主制御基板７００とサブ制御基板３００、回胴装置基板６００、中央表示基板４００、電源装置基板５００との間で転送される各種信号について説明したが、これらの信号のうち、本実施形態の目的である不正行為の防止対策に関連する信号を纏めて列挙すると図４のようになっている。
【００６３】
次に、外部集中端子基板８００は、主制御基板７００中の上記マイクロプロセッサから出力される信号Ｓ１〜Ｓ６を並列入力することが可能な複数個の入力端子Ｐ１〜Ｐ６と、当該信号Ｓ１〜Ｓ６を管理用コンピュータ側へ並列転送することが可能な複数個の出力端子Ｑ１〜Ｑ６とを備える他、管理用コンピュータ側から供給される信号ＩＮを入力する入力端子Ｐ７及び上記マイクロプロセッサへ転送する出力端子Ｑ７を備えて構成され、更に信号Ｓ１〜Ｓ６及びＩＮを一方向にのみ転送する後述の信号伝送回路が設けられている。
【００６４】
すなわち、上述の出力端子Ｑ１〜Ｑ６及び入力端子Ｐ１と、管理用コンピュータに設けられている入出力インターフェースとの間を例えばフラットケーブル等の配線ケーブルで接続することによって、主制御基板７００から管理用コンピュータ側へ信号Ｓ１〜Ｓ６を転送し、また、管理用コンピュータから主制御基板７００側へ信号ＩＮを転送することが可能となっている。
【００６５】
更に、上述の信号伝送回路は、図５の回路図に示すように、入力端子Ｐ１〜Ｐ７と出力端子Ｑ１〜Ｑ７との間にリレーＲＹ１〜ＲＹ７が備えられたリレー回路によって形成されている。
【００６６】
そして、リレーＲＹ１〜ＲＹ６に夫々備えられている励磁コイルＬが入力端子Ｐ１〜Ｐ６を介して主制御基板７００中のマイクロプロセッサに接続され、リレーＲＹ１〜ＲＹ６に夫々備えられている可動片ｃが、コネクタ８００ａに形成されている出力端子Ｑ１〜Ｑ６に接続されている。
【００６７】
また、リレーＲＹ７に備えられている励磁コイルＬが、コネクタ８００ａに形成されている入力端子Ｐ７に接続され、その可動片ｃが出力端子Ｑ７を介して、主制御基板７００中のマイクロプロセッサに接続されている。
【００６８】
また、コネクタ８００ａには、リレーＲＹ１〜ＲＹ６に夫々備えられている一方の切替接点（コモン接点）ａに接続するリレーコモン端子ＲＭ１と、リレーＲＹ７に備えられている励磁コイルＬの一端に接続するリレーコモン端子ＲＭ２とが設けられ、これらのリレーコモン端子ＲＭ１，ＲＭ２を所定のコモン電位（例えば、グランド電位）に設定するようになっている。
【００６９】
また、図５から明らかなように、出力端子Ｑ１〜Ｑ６は開放状態となっているため、実際の仕様においては、例えば各出力端子Ｑ１〜Ｑ６にプルアップ抵抗を接続したり、管理用コンピュータに設けられている入力ポート側にプルアップ抵抗を接続することによって、各出力端子Ｑ１〜Ｑ６を予め所定電位に設定しておくようになっている。
【００７０】
かかる構成の外部集中端子基板８００において、上述の主制御基板７００に設けられているマイクロプロセッサから信号Ｓ１〜Ｓ６が入力端子Ｐ１〜Ｐ６に供給されると、信号Ｓ１〜Ｓ６の夫々の電圧変化に応じて、リレーＲＹ１〜ＲＹ６の各励磁コイルＬに生じる電磁力が変化すると共に、各リレーＲＹ１〜ＲＹ６の可動片ｃが、それらの電磁力の変化に応じて切替接点ａ又はｂの側に切り替わる。
【００７１】
したがって、仮に各リレーＲＹ１〜ＲＹ６の可動片ｃが切替接点ａ側に切り替わったとすると、出力端子Ｑ１〜Ｑ６の電位が上述のプルアップ抵抗によって論理“Ｈ”の電位となり、逆に、各リレーＲＹ１〜ＲＹ６の可動片ｃが切替接点ｂ側に切り替わったとすると、出力端子Ｑ１〜Ｑ６の電位がリレーコモン端子ＲＭ１の電位（グランド電位）、すなわち論理“Ｌ”の電位となる。
【００７２】
このように、各リレーＲＹ１〜ＲＹ６は、主制御基板７００側から供給される各信号Ｓ１〜Ｓ６の電圧変化に応じて論理が変化する出力信号を出力端子Ｑ１〜Ｑ６を介して管理用コンピュータ側へ転送する。つまり、各信号Ｓ１〜Ｓ６と時間的に同期し且つ各信号Ｓ１〜Ｓ６の情報を損なうことのない出力信号を出力端子Ｑ１〜Ｑ６を介して転送するので、管理用コンピュータに対して実質的に信号Ｓ１〜Ｓ６をそのまま転送することが可能となっている。
【００７３】
また、管理用コンピュータ側から、入力端子Ｐ７とリレーコモン端子ＲＭ２間に、外部打止め解除信号ＩＮが供給されると、当該解除信号ＩＮの電圧変化に応じてリレーＲＹ７の励磁コイルＬに生じる電磁力が変化すると共に、その可動片ｃが切替接点ａ又はｂ側に切り替わる。したがって、管理用コンピュータから供給される外部打止め解除信号ＩＮの情報を損なうことなく、実質的にそのまま主制御基板７００側へ転送することが可能となっている。
【００７４】
なお、上述した外部集中端子基板８００は、リレーＲＹ１〜ＲＹ７を備えることによって、信号Ｓ１〜Ｓ６を主制御基板７００側から管理用コンピュータ側へ一方向に転送すると共に、信号ＩＮを管理用コンピュータ側から主制御基板７００側へ一方向に転送する信号伝送回路を実現しているが、変形例として、図６に示すような発光ダイオードＰＤ１〜ＰＤ７とフォトトランジスタＴｒ１〜Ｔｒ７とを組み合わせて、信号伝送回路を構成しても良い。
【００７５】
すなわち、入力端子Ｐ１〜Ｐ７側に発光ダイオードＰＤ１〜ＰＤ７を夫々接続し、出力端子Ｑ１〜Ｑ７側にフォトトランジスタＴｒ１〜Ｔｒ７を接続すると共に、発光ダイオードＰＤ１〜ＰＤ７の発光面とフォトトランジスタＴｒ１〜Ｔｒ７の受光面とを互いに対向させることによって、いわゆるフォトカプラを形成する。
【００７６】
かかる構成の信号伝送回路によれば、リレーＲＹ１〜ＲＹ７のような機械的な可動機構を有さず、電気的に信号を転送することができるため、より高速に信号転送を行うことができ、更に一方向に信号転送を行うことが可能である。また、外部集中端子基板８００の小形化、部品点数の低減、消費電力の低減等を実現することが可能である。
【００７７】
ここで、図５又は図６に示した主制御基板７００に設けられているマイクロプロセッサから出力される信号Ｓ１〜Ｓ６のうちの信号Ｓ１〜Ｓ５は、従来のスロットマシンが営業上有用なサービス情報として出力していた信号のうちの何れかの信号であり、信号Ｓ６は、本実施形態のスロットマシンが新規に出力する不正防止信号となっている。
【００７８】
すなわち、主制御基板７００に設けられているマイクロプロセッサは、図４に列挙した信号ＭＴＳ，ＭＴＤ，ＳＬＧ，ＭＲＳ，ＯＰＮ，ＲＳＴ，ＣＳＳ，ＢＯＳ，ＢＱＳ，ＢＰＳ，ＲＯＳ，ＭＲＲＳのうちの何れか１つの信号を不正防止信号として常に入力端子Ｐ６に供給し、上述のリレーＲＹ６又は発光ダイオードＰＤ６とフォトトランジスタＴｒ６で形成されたフォトカプラとを備えた信号伝送回路を通じて、出力端子Ｑ６に接続されている管理用コンピュータ側へ送出させる。
【００７９】
別言すれば、外部集中端子基板８００は、入力端子Ｐ６と出力端子Ｑ６、及びそれら入力端子Ｐ６と出力端子Ｑ６間に設けられている信号伝送回路によって、上述の信号ＭＴＳ，ＭＴＤ，ＳＬＧ，ＭＲＳ，ＯＰＮ，ＲＳＴ，ＣＳＳ，ＢＯＳ，ＢＱＳ，ＢＰＳ，ＲＯＳ，ＭＲＲＳのうちの何れか１つの信号を不正防止信号として常に管理用コンピュータ側へ送出させる新規な構成を有している。
【００８０】
このように、本実施形態のスロットマシン１００は、主制御基板７００側から管理用コンピュータ側へ外部集中端子基板８００を介して不正防止信号を常に供給するので、管理用コンピュータに不正防止信号を検知又は解析させることによって、不正行為の発見をより迅速且つ的確に行わせることができる。
【００８１】
例えば、不正防止信号としてモータ駆動指示信号ＭＴＳを送出することとすると、管理用コンピュータ側では、本来あり得ない波形のモータ駆動指示信号ＭＴＳを検知等した場合に、不正行為がなされた可能性が高いと判断することが可能である。
【００８２】
また、不正防止信号としてモータ駆動信号ＭＴＤを送出する場合にも、管理用コンピュータ側では、本来あり得ない波形のモータ駆動信号ＭＴＤを検知等した場合に、不正行為がなされた可能性が高いと判断することが可能である。
【００８３】
また、不正防止信号として投入物検出信号ＳＬＧを送出することとすると、管理用コンピュータ側では、異物が投入されたことを示す投入物検出信号ＳＬＧを検知等した場合に、不正行為がなされた可能性が高いと判断することが可能である。
【００８４】
また、不正防止信号として精算信号ＭＲＳを送出することとすると、管理用コンピュータ側では、本来あり得ない回数で頻繁に精算操作が行われた場合等を検知することにより、不正行為がなされた可能性が高いと判断することが可能である。
【００８５】
また、不正防止信号として開錠信号ＯＰＮを送出することとすると、管理用コンピュータ側では、遊技場の営業中にフロントドア１０１が開放され、不正行為がなされた可能性が高いと判断することが可能である。
【００８６】
また、不正防止信号としてエラー解除信号ＲＳＴを送出することとすると、管理用コンピュータ側では、スロットマシン１００自身が不正行為を検出し、その検出結果を不正に解除した可能性、すなわち不正行為がなされた可能性が高いと判断することが可能である。
【００８７】
また、不正防止信号として設定信号ＣＳＳを送出することとすると、管理用コンピュータ側では、遊技場の営業中に不正に出玉率の設定変更がなされ可能性が高いと判断することが可能である。
【００８８】
また、不正防止信号として設定操作信号ＢＯＳを送出する場合にも、管理用コンピュータ側では、遊技場の営業中に不正に出玉率の設定変更がなされ可能性が高いと判断することが可能である。
【００８９】
また、不正防止信号としてシステム電源操作信号ＢＱＳを送出する場合にも、管理用コンピュータ側では、遊技場の営業中に不正に出玉率の設定変更がなされ可能性が高いと判断することが可能である。
【００９０】
また、不正防止信号として主電源操作信号ＢＰＳを送出することとすると、管理用コンピュータ側では、遊技場の営業中に、例えば主制御基板７００に設けられている半導体メモリ（ＲＯＭ）を取り替え、スロットマシン１００の動作を不正に改変した可能性が高いと判断することが可能である。
【００９１】
また、不正防止信号としてシステムリセット信号ＲＯＳを送出することとすると、管理用コンピュータ側では、例えば主制御基板７００に設けられている半導体メモリ（ＲＯＭ）を取り替え、スロットマシン１００の動作を不正に改変した可能性が高いと判断することが可能である。
【００９２】
また、不正防止信号としてメダル検出信号ＭＲＳＳを送出することとすると、管理用コンピュータ側では、例えば長時間にわたって連続してメダル検出信号ＭＲＳＳを検知したような場合に、不正行為がなされた可能性が高いと判断することが可能である。
【００９３】
このように、不正防止信号を送出することにより、上述した営業上有用なサービス情報のみならず、不正行為の防止対策に有用な情報をサービス情報として管理用コンピュータ側に提供することが可能である。
【００９４】
なお、以上の説明では、外部集中端子基板８００に、１つの不正防止用信号のみを送出するための入出力端子Ｐ６，Ｑ６と信号伝送回路を備える構成について説明したが、いわゆる２系統以上の入出力端子と信号伝送回路を備えて、主制御基板７００側から上述の信号ＭＴＳ，ＭＴＤ，ＳＬＧ，ＭＲＳ，ＯＰＮ，ＲＳＴ，ＣＳＳ，ＢＯＳ，ＢＱＳ，ＢＰＳ，ＲＯＳ，ＭＲＲＳのうちの少なくとも１以上の信号を不正防止信号として常に管理用コンピュータ側へ送出させるようにしてもよい。
【００９５】
また、上述の信号ＭＴＳ，ＭＴＤ，ＳＬＧ，ＭＲＳ，ＯＰＮ，ＲＳＴ，ＣＳＳ，ＢＯＳ，ＢＱＳ，ＢＰＳ，ＲＯＳ，ＭＲＲＳのうちの１以上又は全ての信号を不正防止信号として常に管理用コンピュータ側へ送出させるようにしてもよい。なお、かかる場合には、不正防止信号として同時に送出すべき複数個の信号を、所定周期に同期して２進数のデータに変換し、その変換した２進数のデータをビット単位で外部集中端子基板８００を介して並列に送出する。
【００９６】
このように２進数のデータに変換して送出することとすると、１２個の信号ＭＴＳ，ＭＴＤ，ＳＬＧ，ＭＲＳ，ＯＰＮ，ＲＳＴ，ＣＳＳ，ＢＯＳ，ＢＱＳ，ＢＰＳ，ＲＯＳ，ＭＲＲＳの全てを送出する場合に、１２個の入出力端子と信号伝送路を必要とせず、４個の入出力端子及び信号伝送回路を外部集中端子基板８００に設けるだけで２進数のデータを並列に送出することができるため、外部集中端子基板８００の小型化を図りつつ多数の不正防止信号を送出することが可能である。
【００９７】
また、以上の説明では、１２個の信号ＭＴＳ，ＭＴＤ，ＳＬＧ，ＭＲＳ，ＯＰＮ，ＲＳＴ，ＣＳＳ，ＢＯＳ，ＢＱＳ，ＢＰＳ，ＲＯＳ，ＭＲＲＳを夫々そのまま送出する場合について説明したが、主制御基板７００中のマイクロプロセッサが、予めこれらの信号ＭＴＳ，ＭＴＤ，ＳＬＧ，ＭＲＳ，ＯＰＮ，ＲＳＴ，ＣＳＳ，ＢＯＳ，ＢＱＳ，ＢＰＳ，ＲＯＳ，ＭＲＲＳの２以上の組み合わせを解析し、不正行為がなされた可能性が高いと判断した結果を不正防止信号として外部集中端子基板８００を介して管理用コンピュータ側へ送出するようにしてもよい。
【００９８】
また、これらの信号ＭＴＳ，ＭＴＤ，ＳＬＧ，ＭＲＳ，ＯＰＮ，ＲＳＴ，ＣＳＳ，ＢＯＳ，ＢＱＳ，ＢＰＳ，ＲＯＳ，ＭＲＲＳを主制御基板７００中のマイクロプロセッサが暗号化して送出し、管理用コンピュータ側で復号させるようにしてもよい。
【００９９】
また、本スロットマシン１００側から管理用コンピュータ側へ送出する不正防止信号の種類に応じて不正行為を解析するためのコンピュータプログラムを記録したＣＤ−ＲＯＭ等のストレージ媒体を提供し、そのストレージ媒体に記録されているコンピュータプログラムを管理用コンピュータにインスト−ルさせて実行させるようにしてもよい。このように、所定のコンピュータプログラムを管理用コンピュータにインスト−ルさせて実行させると、本スロットマシン１００の特徴に応じた不正行為を、管理用コンピュータ側でより的確に解析させることが可能である。
【０１００】
【発明の効果】
以上説明したように、本発明の回胴式遊技機及び回胴式遊技機に設けられる外部集中端子基板によれば、主制御基板から管理用コンピュータへ不正防止信号を供給するので、管理用コンピュータに不正防止信号を検知又は解析させることによって、不正行為の発見をより迅速且つ的確に行わせることができる。
【図面の簡単な説明】
【図１】本発明の実施形態に係るスロットマシンの外観構造を概略的に表した平面図である。
【図２】図１に示したスロットマシンの内部構造を概略的に表した平面図である。
【図３】図１及び図２に示したスロットマシンに設けられている制御システムの構成を表したブロック図である。
【図４】不正行為の防止対策に関連する信号を纏めて列挙した図である。
【図５】外部集中端子基板の要部構成を表した回路図である。
【図６】外部集中端子基板の変形例の構成を表した回路図である。
【図７】本発明が解決しようとする課題を説明するための図である。
【符号の説明】
１００…スロットマシン
７００…主制御基板
８００…外部集中端子基板
ＢＱ…電源スイッチ
ＢＯ…設定スイッチ
【図１】
2004350924.tif 000003
【図２】
2004350924.tif 000004
【図３】
2004350924.tif 000005
【図４】
2004350924.tif 000006
【図５】
2004350924.tif 000007
【図６】
2004350924.tif 000008
【図７】
2004350924.tif 000009